(57)【特許請求の範囲】
【請求項１】
端末装置との間で無線通信する複数の無線装置と、
前記複数の無線装置に接続された中継装置と、
前記中継装置に接続された制御装置とを具備し、
前記中継装置は、
前記制御装置と前記複数の無線装置との間でデータを中継する通信中継部と、
前記制御装置が当該中継装置を監視または制御するための前記制御装置と前記中継装置との間の通信を終端する第１接続部と、
当該中継装置が前記複数の無線装置の各々を監視または制御するための当該中継装置と前記各無線装置との間の通信を終端する第２接続部とを含み、
前記第２接続部は、前記各無線装置の障害の有無を示す状態報告を前記複数の無線装置の各々から受信し、
前記第１接続部は、前記複数の無線装置の何れにも障害がない場合に１つの無線装置の正常状態を示し、前記複数の無線装置の一部に障害がある場合に前記１つの無線装置の部分正常状態を示し、前記複数の無線装置の全部に障害がある場合または当該中継装置に障害がある場合に前記１つの無線装置の障害状態を示す状態報告を、当該中継装置の障害の有無および前記第２接続部が前記複数の無線装置から受信した状態報告に応じて生成して前記制御装置に送信する
通信システム。
【請求項２】
端末装置との間で無線通信する複数の無線装置と、
前記複数の無線装置に接続された中継装置と、
前記中継装置に接続された制御装置とを具備し、
前記中継装置は、
前記制御装置と前記複数の無線装置との間でデータを中継する通信中継部と、
前記制御装置が当該中継装置を監視または制御するための前記制御装置と前記中継装置との間の通信を終端する第１接続部と、
当該中継装置が前記複数の無線装置の各々を監視または制御するための当該中継装置と前記各無線装置との間の通信を終端する第２接続部とを含み、
前記第２接続部は、制御動作を指示する監視制御指示を前記制御装置から受信して前記複数の無線装置の各々に送信する一方、当該監視制御指示で指示された制御動作の可否に応じた障害の有無を示す状態報告を前記複数の無線装置の各々から受信し、
前記第１接続部は、前記複数の無線装置の何れにも障害がない場合または前記複数の無線装置の一部に障害がある場合に１つの無線装置の制御可能状態を示し、前記複数の無線装置の全部に障害がある場合または当該中継装置に障害がある場合に前記１つの無線装置の制御不能状態を示す状態報告を、当該中継装置の障害の有無および前記第２接続部が前記複数の無線装置から受信した状態報告に応じて生成して前記制御装置に送信する
通信システム。
【請求項３】
端末装置との間で無線通信する複数の無線装置に接続されるとともに制御装置に接続された中継装置であって、
前記制御装置と前記複数の無線装置との間でデータを中継する通信中継部と、
前記制御装置が当該中継装置を監視または制御するための前記制御装置と前記中継装置との間の通信を終端する第１接続部と、
当該中継装置が前記複数の無線装置の各々を監視または制御するための当該中継装置と前記各無線装置との間の通信を終端する第２接続部と
を具備し、
前記第２接続部は、前記各無線装置の障害の有無を示す状態報告を前記複数の無線装置の各々から受信し、
前記第１接続部は、前記複数の無線装置の何れにも障害がない場合に１つの無線装置の正常状態を示し、前記複数の無線装置の一部に障害がある場合に前記１つの無線装置の部分正常状態を示し、前記複数の無線装置の全部に障害がある場合または当該中継装置に障害がある場合に前記１つの無線装置の障害状態を示す状態報告を、当該中継装置の障害の有無および前記第２接続部が前記複数の無線装置から受信した状態報告に応じて生成して前記制御装置に送信する、
中継装置。
【請求項４】
端末装置との間で無線通信する複数の無線装置に接続されるとともに制御装置に接続された中継装置であって、
前記制御装置と前記複数の無線装置との間でデータを中継する通信中継部と、
前記制御装置が当該中継装置を監視または制御するための前記制御装置と前記中継装置との間の通信を終端する第１接続部と、
当該中継装置が前記複数の無線装置の各々を監視または制御するための当該中継装置と前記各無線装置との間の通信を終端する第２接続部と
を具備し、
前記第２接続部は、制御動作を指示する監視制御指示を前記制御装置から受信して前記複数の無線装置の各々に送信する一方、当該監視制御指示で指示された制御動作の可否に応じた障害の有無を示す状態報告を前記複数の無線装置の各々から受信し、
前記第１接続部は、前記複数の無線装置の何れにも障害がない場合または前記複数の無線装置の一部に障害がある場合に１つの無線装置の制御可能状態を示し、前記複数の無線装置の全部に障害がある場合または当該中継装置に障害がある場合に前記１つの無線装置の制御不能状態を示す状態報告を、当該中継装置の障害の有無および前記第２接続部が前記複数の無線装置から受信した状態報告に応じて生成して前記制御装置に送信する、
中継装置。
【発明の詳細な説明】
【技術分野】
【０００１】
本発明は、移動体通信を提供する通信システムに関する。
【背景技術】
【０００２】
携帯電話機等の端末装置と無線通信する複数の無線装置（子機）に対し、無線基地局等の上位装置から供給される無線（RF：Radio Frequency）信号を分配する分配装置（親機／BASE unit）が例えば非特許文献１に開示されている。非特許文献１の構成では、複数の無線装置により例えば屋内等に複数のセルを形成することが可能である。各無線装置は光回線で分配装置に接続される。
【０００３】
非特許文献１の技術のもとで新規な通信周波数に対応するためには、当該通信周波数に対応した専用の複数の無線装置と分配装置とを開発および設置する必要がある。以上の事情を背景として、例えば特許文献１には、制御装置（REC：Radio Equipment Control）と無線装置との間に中継装置を介在させた構成が開示されている。中継装置は、CPRI（Common Public Radio Interface）に準拠した通信経路（CPRIリンク）を介して制御装置および無線装置の各々に接続される。
【先行技術文献】
【非特許文献】
【０００４】
【非特許文献１】副家ほか３名，「W-CDMA/LTEシステム共用RoFシステムの開発」NTT DOCOMO テクニカル・ジャーナル  Vol.18 No.1
【特許文献】
【０００５】
【特許文献１】特開２０１１−１３０１８２号公報
【発明の概要】
【発明が解決しようとする課題】
【０００６】
ところで、特許文献１のように制御装置が無線装置を管理する構成では、無線装置の障害の有無や制御の可否等の状態を制御装置が把握するための監視制御が実行され得る。例えば、制御装置と無線装置との間にCPRIに準拠して確立される通信経路を介して無線装置の監視制御が実行される。以上のように無線装置毎の１個の通信経路を利用して制御装置が１個の無線装置を監視制御する構成のもとで、中継装置に複数の無線装置を接続する場合を想定すると、複数の無線装置に対する監視制御のために制御装置の構成や処理を変更する必要があり煩雑であるという問題がある。以上の事情を考慮して、本発明は、制御装置が接続された中継装置に複数の無線装置を接続する場合に各無線装置の監視制御のために必要な作業の負担を軽減することを目的とする。
【課題を解決するための手段】
【０００７】
以上の課題を解決するために、本発明の好適な態様に係る通信システムは、端末装置との間で無線通信する複数の無線装置と、複数の無線装置に接続された中継装置と、中継装置に接続された制御装置とを具備し、中継装置は、制御装置と複数の無線装置との間でデータを中継する通信中継部と、制御装置が当該中継装置を監視または制御するための制御装置と中継装置との間の通信を終端する第１接続部と、当該中継装置が複数の無線装置の各々を監視または制御するための当該中継装置と各無線装置との間の通信を終端する第２接続部とを含む。
【０００８】
また、本発明の好適な態様に係る中継装置は、端末装置との間で無線通信する複数の無線装置に接続されるとともに制御装置に接続された中継装置であって、制御装置と複数の無線装置との間でデータを中継する通信中継部と、制御装置が当該中継装置を監視または制御するための制御装置と中継装置との間の通信を終端する第１接続部と、当該中継装置が複数の無線装置の各々を監視または制御するための当該中継装置と各無線装置との間の通信を終端する第２接続部とを具備する。
【発明の効果】
【０００９】
本発明によれば、制御装置が接続された中継装置に複数の無線装置を接続する場合に各無線装置の監視制御のために必要な作業の負担を軽減することが可能である。
【図面の簡単な説明】
【００１０】
【図１】本発明の第１実施形態に係る通信システムの構成図である。
【図２】中継装置の構成図である。
【図３】通信システムの動作の説明図である。
【図４】状態報告を生成する処理のフローチャートである。
【図５】状態報告の生成の説明図である。
【図６】第２実施形態における通信システムの動作の説明図である。
【図７】第２実施形態における状態報告を生成する処理のフローチャートである。
【図８】第２実施形態における状態報告の生成の説明図である。
【発明を実施するための形態】
【００１１】
＜第１実施形態＞
図１は、第１実施形態の通信システム１００の構成図である。第１実施形態の無線通信システム１００は、音声通話やデータ通信等の移動体通信サービスを提供する移動体通信網に設置されて複数の端末装置２００と無線通信する無線基地局システムである。
【００１２】
端末装置２００は、例えば携帯電話機やスマートフォン等の可搬型のユーザ装置（UE：User Equipment）である。タブレット端末，パーソナルコンピュータ，UMPC（Ultra-Mobile Personal Computer），携帯型ゲーム装置等の各種の可搬型の通信端末も端末装置２００として利用され得る。第１実施形態の無線通信システム１００は、3GPP（Third Generation Partnership Project）のLTE（Long Term Evolution）に準拠した通信方式で端末装置２００と無線通信する。すなわち、下りリンクの無線送信方式としてOFDMA（Orthogonal Frequency Division Multiple Access）が採用され、上りリンクの無線送信方式としてSC-FDMA（Single-Carrier Frequency Division Multiple Access）が採用される。ただし、無線通信システム１００と端末装置２００との間の通信方式は以上の例示に限定されない。
【００１３】
図１に例示される通り、無線通信システム１００は、制御装置１０と中継装置２０と複数（Ｎ個）の無線装置３０とを具備する（Ｎは２以上の自然数）。制御装置１０と中継装置２０と各無線装置３０とは相互に別体の装置である。中継装置２０は、物理回線４２を介して制御装置１０に接続されるとともに、物理回線４４を介してＮ個の無線装置３０の各々に接続される。物理回線４２および物理回線４４は、例えば光ファイバで構成される光回線である。すなわち、第１実施形態の無線通信システム１００は、中継装置２０と複数の無線装置３０との間の物理回線４４を光フロントホール（fronthaul）とする光張出し構成を採用する。
【００１４】
各無線装置３０は、端末装置２００と無線通信する通信機器（RE：Radio Eqipment）である。具体的には、無線装置３０は、図１に例示される通り、送受信部３２と複数のアンテナ３４とを具備する。送受信部３２は、複数のアンテナ３４からの受信信号に対して復調や増幅等の各種の処理を実行するとともに、送信対象となる伝送信号（ベースバンド信号）の変調や増幅等の各種の処理で送信信号を生成する。複数のアンテナ３４は、端末装置２００から送信された電波を受信して受信信号を生成するとともに、信号処理部１２から供給される送信信号に応じた電波を端末装置２００に送信する。無線装置３０は、複数のアンテナ３４を利用したMIMO（Multiple-Input and Multiple-Output）による無線通信が可能である。
【００１５】
制御装置１０は、無線装置３０を監視および制御する通信機器（REC:Radio Equipment Control）である。具体的には、制御装置１０は、信号処理部１２と監視制御部１４とを具備する。信号処理部１２は、外部装置から受信した送信データに対する信号処理で下りリンクの伝送信号（例えばIQ（In-Phase / Quadrature-Phase）信号）を生成して中継装置２０に送信し、中継装置２０から受信した上りリンクの伝送信号に対する信号処理で受信データを生成する。監視制御部１４は、当該制御装置１０の配下にある装置の障害の有無や制御の可否等の状態（以下「装置状態」と総称する）を把握するための監視制御を実行する。
【００１６】
中継装置２０は、制御装置１０とＮ個の無線装置３０の各々との通信を中継する。図２は、中継装置２０の構成図である。図２に例示される通り、第１実施形態の中継装置２０は、通信中継部２２と第１接続部２４と第２接続部２６とを具備する。中継装置２０の各要素は、例えば記憶装置に記憶されたプログラムを演算処理装置（CPU）が実行することで実現される。ただし、FPGA（Field Programmable Gate Array）またはDSP（Digital Signal Processor）等の電子回路で中継装置２０の一部または全部の機能を実現することも可能である。
【００１７】
通信中継部２２は、制御装置１０とＮ個の無線装置３０との間でデータを中継する。具体的には、通信中継部２２は、制御装置１０から物理回線４２を介して受信した下りリンクの伝送信号ＳDをＮ系統に複製したうえで各物理回線４４を介してＮ個の無線装置３０に並列に送信する。また、通信中継部２２は、Ｎ個の無線装置３０から物理回線４４を介して受信したＮ系統の伝送信号ＳUの合成（例えば加算）により上りリンクの１系統の伝送信号ＳUを生成したうえで物理回線４２を介して制御装置１０に送信する。なお、Ｎ系統の伝送信号ＳUの何れか（例えば受信強度が最大の伝送信号ＳU）を選択して制御装置１０に送信することも可能である。
【００１８】
図２の第１接続部２４は、制御装置１０（監視制御部１４）が中継装置２０を監視制御するための通信を制御装置１０との間で実行する。具体的には、第１接続部２４は、監視制御を指示する監視制御指示Ｑ1を制御装置１０の監視制御部１４から受信するとともに、監視制御指示Ｑ1に対する応答である状態報告Ｒ1を制御装置１０の監視制御部１４に送信する。監視制御指示Ｑ1および状態報告Ｒ1の授受による監視制御は、例えばHDLC（High-level Data Link Control procedure）のもとでCPRIにより規定される。ただし、監視制御の方式は以上の例示に限定されない。
【００１９】
第１実施形態の第１接続部２４は、制御装置１０（監視制御部１４）による監視制御のための通信を終端する。すなわち、制御装置１０との関係では中継装置２０が１個の無線装置（RE）として制御装置１０に接続され、制御装置１０は、中継装置２０を１個の無線装置と認識して監視制御を実行する。制御装置１０をマスターとして中継装置２０をスレーブとする従属関係が制御装置１０と中継装置２０との間で終端するとも換言され得る。
【００２０】
他方、図２の第２接続部２６は、当該中継装置２０がＮ個の無線装置３０の各々を監視制御するための通信を各無線装置３０との間で実行する。具体的には、第２接続部２６は、監視制御を指示する監視制御指示Ｑ2をＮ個の無線装置３０に並列に送信するとともに、監視制御指示Ｑ2に対する応答である状態報告Ｒ2を各無線装置３０から受信する。監視制御指示Ｑ2および状態報告Ｒ2の授受による監視制御は、制御装置１０による中継装置２０の監視制御と同様に、例えばHDLCのもとでCPRIにより規定される。ただし、監視制御の方式は以上の例示に限定されない。
【００２１】
第１実施形態の第２接続部２６は、中継装置２０による各無線装置３０の監視制御のための通信を終端する。すなわち、中継装置２０は、無線装置３０との関係では１個の制御装置（REC）として各無線装置３０に接続されて各無線装置３０に対する監視制御を実行する。中継装置２０をマスターとして無線装置３０をスレーブとする従属関係が中継装置２０と無線装置３０との間で終端するとも換言され得る。
【００２２】
以上に説明した通り、第１実施形態では、制御装置１０と中継装置２０との間の監視制御用の通信が中継装置２０で終端され、かつ、中継装置２０と各無線装置３０との間の監視制御用の通信が中継装置２０で終端される。すなわち、中継装置２０は、制御装置１０からみて監視制御の対象となる１個の無線装置(RE)として機能し、かつ、各無線装置３０からみて監視制御の主体となる１個の制御装置(REC)として機能する。したがって、制御装置１０を変更することなく当該制御装置１０に中継装置２０を介して複数の無線装置３０を接続できるという利点がある。
【００２３】
図３は、第１実施形態における監視制御を例示する説明図である。第１実施形態では、監視制御指示Ｑ1および監視制御指示Ｑ2を、障害の有無と使用の有無（使用中／停止中）とを含む装置状態を監視するための監視指示とした場合を例示する。図３に例示される通り、中継装置２０の第２接続部２６は、装置状態の報告を指示する監視制御指示Ｑ2をＮ個の無線装置３０の各々に送信する（ＳA1）。各無線装置３０は、監視制御指示Ｑ2の受信を契機として、当該無線装置３０の装置状態（障害の有無，使用の有無）を示す状態報告Ｒ2を生成して中継装置２０に送信する（ＳA2）。中継装置２０の第２接続部２６は、Ｎ個の無線装置３０の各々から状態報告Ｒ2を受信する。
【００２４】
中継装置２０の第１接続部２４は、第２接続部２６がＮ個の無線装置３０から受信した状態報告Ｒ2に応じた状態報告Ｒ1を生成する（ＳA3）。他方、制御装置１０（監視制御部１４）は、中継装置２０が各無線装置３０に監視制御指示Ｑ2を送信する動作（ＳA1）とは独立に、装置状態の報告を指示する監視制御指示Ｑ1を中継装置２０に送信する（ＳA4）。監視制御指示Ｑ1を制御装置１０から受信すると、第１接続部２４は、各無線装置３０の状態報告Ｒ2に応じて生成した最新の状態報告Ｒ1を制御装置１０に送信する（ＳA5）。
【００２５】
図４は、第１接続部２４がＮ個の無線装置３０の状態報告Ｒ2から状態報告Ｒ1を生成する処理（ＳA3）を例示するためのフローチャートであり、図５は、状態報告Ｒ2が示す装置状態と状態報告Ｒ1の内容との関係を例示する説明図である。
【００２６】
図４に例示される通り、中継装置２０の第１接続部２４は、当該中継装置２０に障害があるか否かを判定する（ＳB1）。中継装置２０に障害がない場合（ＳB1：NO）、第１接続部２４は、各無線装置３０の状態報告Ｒ2を参照することで、Ｎ個の無線装置３０の何れにも障害がないか否かを判定する（ＳB2）。Ｎ個の無線装置３０の何れにも障害がない場合（ＳB2：YES）、第１接続部２４は、図５に例示される通り、正常状態と使用状態とを装置状態として指定した状態報告Ｒ1を生成する（ＳB3）。正常状態は、装置に障害がない状態を意味し、使用状態は、装置が適正に使用されている状態を意味する。
【００２７】
他方、Ｎ個の無線装置３０の何れかに障害がある場合（ＳB2：NO）、第１接続部２４は、各無線装置３０の状態報告Ｒ2を参照することで、Ｎ個の無線装置３０の一部に障害が発生しているか否かを判定する（ＳB4）。Ｎ個の無線装置３０の一部に障害が発生している場合（他の無線装置３０には障害がない場合）、第１接続部２４は、図５に例示される通り、部分正常状態と部分使用状態とを装置状態として指定した状態報告Ｒ1を生成する（ＳB5）。部分正常状態は、装置の一部にのみ障害がある状態を意味し、部分使用状態は、装置の一部のみが使用されている状態を意味する。他方、中継装置２０に障害がある場合（ＳB1：YES）、または、Ｎ個の無線装置３０の全部に障害がある場合（ＳB4：NO）、第１接続部２４は、図５に例示される通り、障害状態を指定する状態報告Ｒ1を生成する（ＳB6）。
【００２８】
以上の説明から理解される通り、正常状態および使用状態を示す状態報告Ｒ1と、部分正常状態および部分使用状態を示す状態報告Ｒ1と、障害状態を示す状態報告Ｒ1との何れかが、Ｎ個の無線装置３０からの状態報告Ｒ2に応じて選択的に生成されたうえで第１接続部２４から制御装置１０に送信される（ＳA5）。したがって、中継装置２０を対象として監視制御指示Ｑ1の送信と状態報告Ｒ1の受信とを制御装置１０が実行することで、当該制御装置１０の配下にあるＮ個の無線装置３０の何れかまたは中継装置２０の障害を検知することが可能である。
【００２９】
＜第２実施形態＞
本発明の第２実施形態を説明する。なお、以下に例示する各形態において作用や機能が第１実施形態と同様である要素については、第１実施形態の説明で使用した符号を流用して各々の詳細な説明を適宜に省略する。
【００３０】
第１実施形態では、監視制御指示Ｑ1および監視制御指示Ｑ2を、装置状態を監視するための監視指示とした場合を例示した。第２実施形態では、監視制御指示Ｑ1および監視制御指示Ｑ2を、制御動作を指示するための制御信号とした場合を例示する。
【００３１】
図６は、第２実施形態における監視制御を例示する説明図である。制御装置１０（監視制御部１４）は、装置動作の制御のための監視制御指示Ｑ1を中継装置２０に送信する（ＳC1）。監視制御指示Ｑ1は、伝送信号ＳDの増幅率や送信電力，MIMOに使用するアンテナ３４の総数，通信周波数（帯域），伝送データレート等の変数を包含する。なお、各種設定の初期化の指示，電波送信の実行／停止の指示，現在時刻の設定の指示等を監視制御指示Ｑ1として制御装置１０から中継装置２０に送信することも可能である。
【００３２】
中継装置２０の第１接続部２４が監視制御指示Ｑ1を受信すると、第２接続部２６は、監視制御指示Ｑ1を監視制御指示Ｑ2としてＮ個の無線装置３０の各々に転送する（ＳC2）。各無線装置３０は、中継装置２０から受信した監視制御指示Ｑ2に応じて動作する。具体的には、無線装置３０は、監視制御指示Ｑ2で指示された変数の設定や監視制御指示Ｑ2で指示された動作を実行する。また、各無線装置３０は、監視制御指示Ｑ2で指示された制御動作の可否（すなわち障害の有無）を示す状態報告Ｒ2を生成して中継装置２０に送信する（ＳC3）。中継装置２０の第２接続部２６は、Ｎ個の無線装置３０の各々から状態報告Ｒ2を受信する。
【００３３】
中継装置２０の第１接続部２４は、第２接続部２６がＮ個の無線装置３０から受信した状態報告Ｒ2に応じた状態報告Ｒ1を生成する（ＳC4）。第２実施形態の状態報告Ｒ1は、監視制御指示Ｑ1で指示された制御動作の可否を装置状態として指定する。第１接続部２４は、状態報告Ｒ1を制御装置１０に送信する（ＳC5）。
【００３４】
図７は、第１接続部２４がＮ個の無線装置３０の状態報告Ｒ2から状態報告Ｒ1を生成する処理（ＳC4）を例示するためのフローチャートであり、図８は、状態報告Ｒ2が示す装置状態と状態報告Ｒ1の内容との関係を例示する説明図である。
【００３５】
図７に例示される通り、中継装置２０の第１接続部２４は、当該中継装置２０に障害があるか否かを判定する（ＳD1）。中継装置２０に障害がない場合（ＳD1：NO）、第１接続部２４は、各無線装置３０の状態報告Ｒ2を参照することで、Ｎ個の無線装置３０の何れにも障害がないか否かを判定する（ＳD2）。Ｎ個の無線装置３０の何れにも障害がない場合（ＳD2：YES）、第１接続部２４は、図８に例示される通り、制御可能状態を装置状態として指定する状態報告Ｒ1を生成する（ＳD3）。制御可能状態は、監視制御指示Ｑ1および監視制御指示Ｑ2で指示された制御動作を実行可能な状態を意味する。
【００３６】
他方、Ｎ個の無線装置３０の何れかに障害がある場合（ＳD2：NO）、第１接続部２４は、各無線装置３０の状態報告Ｒ2を参照することで、Ｎ個の無線装置３０の一部に障害が発生しているか否かを判定する（ＳD4）。Ｎ個の無線装置３０の一部に障害が発生している場合（他の無線装置３０には障害がない場合）、第１接続部２４は、図８に例示される通り、制御可能状態を装置状態として指定する状態報告Ｒ1を生成する（ＳD5）。また、第２接続部２６は、状態報告Ｒ2で障害を報告してきた無線装置３０に対して監視制御指示Ｑ2を再送することで当該無線装置３０を自律的に再制御する（ＳD6）。
【００３７】
他方、中継装置２０に障害がある場合（ＳD1：YES）、または、Ｎ個の無線装置３０の全部に障害がある場合（ＳD4：NO）、第１接続部２４は、図８に例示される通り、制御不能状態を装置状態として指定する状態報告Ｒ1を生成する（ＳD7）。制御不能状態は、監視制御指示Ｑ1および監視制御指示Ｑ2で指示された制御動作を実行できない状態を意味する。
【００３８】
第２実施形態においても第１実施形態と同様に、制御装置１０と中継装置２０との間の監視制御用の通信が中継装置２０で終端され、かつ、中継装置２０と各無線装置３０との間の監視制御用の通信が中継装置２０で終端される。したがって、第２実施形態においても第１実施形態と同様の効果が実現される。また、第２実施形態では、制御可能状態を示す状態報告Ｒ1と制御不能状態を示す状態報告Ｒ1との何れかが、Ｎ個の無線装置３０からの状態報告Ｒ2に応じて選択的に生成されたうえで第１接続部２４から制御装置１０に送信される（ＳC5）。したがって、中継装置２０を対象として監視制御指示Ｑ1の送信と状態報告Ｒ1の受信とを制御装置１０が実行することで、当該制御装置１０の配下にあるＮ個の無線装置３０の何れかまたは中継装置２０の障害を検知することが可能である。
【００３９】
＜変形例＞
（１）第１実施形態では、制御装置１０から中継装置２０に対する監視制御指示Ｑ1の送信とは独立に中継装置２０が各無線装置３０に監視制御指示Ｑ2を送信したが、第２実施形態と同様に、第１実施形態においても、制御装置１０から送信された監視制御指示Ｑ1の受信を契機として中継装置２０が各無線装置３０に監視制御指示Ｑ2を送信することも可能である。
【００４０】
（２）中継装置２０は、前述の各形態でも例示した通りコンピュータとプログラムとの協働により実現され得る。前述の各形態のプログラムは、端末装置２００との間で無線通信する複数の無線装置３０に接続されるとともに制御装置１０に接続されたコンピュータ（中継装置２０）を、制御装置１０と複数の無線装置３０との間でデータを中継する通信中継部２２、制御装置１０が当該中継装置２０を監視または制御するための制御装置１０と中継装置２０との間の通信を終端する第１接続部２４、および、当該中継装置２０が複数の無線装置３０の各々を監視または制御するための当該中継装置２０と各無線装置３０との間の通信を終端する第２接続部２６として機能させる。以上に例示したプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体が好例であるが、半導体記録媒体や磁気記録媒体等の公知の任意の形式の記録媒体を包含し得る。なお、通信網を介した配信の形態で前述のプログラムを提供してコンピュータにインストールすることも可能である。
【符号の説明】
【００４１】
１００……通信システム、２００……端末装置、１０……制御装置、１２……信号処理部、１４……監視制御部、２０……中継装置、２２……通信中継部、２４……第１接続部、２６……第２接続部、３０……無線装置、３２……送受信部、３４……アンテナ、４２……物理回線、４４……物理回線。
【図１】
0006467294.tif 000002
【図２】
0006467294.tif 000003
【図３】
0006467294.tif 000004
【図４】
0006467294.tif 000005
【図５】
0006467294.tif 000006
【図６】
0006467294.tif 000007
【図７】
0006467294.tif 000008
【図８】
0006467294.tif 000009